(57)【要約】【課題】不要なトランスポンダを設置することなく、システム構成を簡潔にして、コストを低減することが可能なＷＤＭ伝送システムを提供する。【解決手段】トランスポンダ１２−１にて異常が発生すると、波長冗長装置３１が、対向の波長冗長装置３３へ波長冗長切替要求を送信する。波長冗長装置３３のパススルー対応制御部は、波長冗長切替要求により、光セレクターをオンしてエクストラトラフィックポートを開放するとともに、対向の波長冗長装置３６へ隣接区間波長冗長装置用インタフェース３５を使用して波長冗長切替要求を転送する。波長冗長装置３６のパススルー対応制御部は、波長冗長装置３３から波長冗長切替要求を受信し、光セレクターによってエクストラ入力用伝送経路１１３を開放するとともに、波長冗長装置３８へ波長冗長切替要求を転送する。【選択図】図１
2010056899.tif 000002
【特許請求の範囲】
【請求項１】
互いに対向するＷＤＭ伝送装置間でトランスポンダを経てトランスポンダ信号を伝送するＷＤＭ区間と、隣接するＷＤＭ伝送システムとの間で、トランスポンダを介さずにトランスポンダ信号を送受信するパススルー区間とを有するＷＤＭ伝送システムにおいて、
互いに対向するＷＤＭ伝送装置それぞれに1つの冗長用トランスポンダと１つの波長冗長装置が配置され、
互いに対向する両波長冗長装置が、相手波長冗長装置との間で波長冗長切替要求を送受信するため波長冗長切替要求インタフェースを有し、
前記隣接するＷＤＭ伝送システムと隣接する側の波長冗長装置が、該隣接するＷＤＭ伝送システムの波長冗長装置との間に、前記パススルー区間の伝送信号に対する波長冗長切替要求を送受信するため隣接区間波長冗長装置用インタフェースを有し、
前記隣接するＷＤＭシステムと隣接する側の波長冗長装置と対向する波長冗長装置は、ａ）該波長冗長装置が属するＷＤＭ伝送装置のいずれかのトランスポンダに異常が発生した場合に、異常が発生したトランスポンダを通る伝送経路を、前記冗長用トランスポンダを通る伝送経路に切替えるとともに、対向ＷＤＭ伝送装置の波長冗長装置に前記波長冗長切替要求インタフェースを経て波長冗長切替要求を送信し、ｂ）対向ＷＤＭ伝送装置のいずれかのトランスポンダで異常が発生して対向の波長冗長装置から前記波長冗長切替要求インタフェースを経て波長冗長切替要求を受信すると、異常が発生したトランスポンダに対応する、自波長冗長装置が属するＷＤＭ伝送装置のトランスポンダを通る伝送経路を、前記冗長用トランスポンダを通る伝送経路に切替え、ｃ）前記隣接するＷＤＭ伝送システムの対向する波長冗長装置からの波長冗長切替要求が、該波長冗長装置と対向する波長冗長装置から前記波長冗長切替要求インタフェースを経て転送されてくると、自前波長冗長装置が属するＷＤＭ伝送装置の前記パススルー区間のトランスポンダを通る伝送経路を、前記冗長用トランスポンダを通る伝送経路に切替え、
前記隣接するＷＤＭ伝送システムと隣接する側の波長冗長装置は、ａ）該波長冗長装置が属するＷＤＭ装置のいずれかのトランスポンダに異常が発生した場合に、異常が発生したトランスポンダを通る伝送経路を、前記冗長用トランスポンダを通る伝送経路に切替えるとともに、対向ＷＤＭ伝送装置の波長冗長装置に前記波長冗長切替要求インタフェースを経て波長冗長切替要求を送信し、ｂ）対向ＷＤＭ伝送装置の、ＷＤＭ区間のいずれかのトランスポンダで異常が発生して対向の波長冗長装置から前記波長冗長切替要求インタフェースを経て波長冗長切替要求を受信すると、異常が発生したトランスポンダに対応する、自波長冗長装置が属するＷＤＭ伝送装置のトランスポンダを通る伝送経路を、前記冗長用トランスポンダを通る伝送経路に切替え、ｃ）対向ＷＤＭ伝送装置の、前記パススルー区間のトランスポンダ信号を入出力するトランスポンダで異常が発生して対向の波長冗長装置から前記波長冗長切替要求インタフェースを経て波長冗長切替要求を受信すると、前記隣接区間波長冗長装置用インタフェースを経て、前記の隣接するＷＤＭ伝送システムの波長冗長装置に波長冗長切替要求を送信するとともに、自波長冗長装置内の、前記冗長用トランスポンダと接続するエクストラ出力用伝送経路を開放して、前記の隣接するＷＤＭ伝送システムの波長冗長装置との伝送経路を確保し、ｄ）前記隣接区間波長冗長装置用インタフェースを経て、前記の隣接するＷＤＭ伝送システムの波長冗長装置から波長冗長切替要求を受信すると、自波長冗長装置内の、前記冗長用トランスポンダと接続するエクストラ入力用伝送経路を開放するとともに、対向ＷＤＭ伝送装置の波長冗長装置に前記波長冗長切替要求インタフェースを経て波長冗長切替要求を送信する、
波長冗長装置付きＷＤＭ伝送システム。
【請求項２】
互いに対向するＷＤＭ伝送装置間でトランスポンダを経てトランスポンダ信号を伝送するＷＤＭ区間と、隣接するＷＤＭ伝送システムとの間で、トランスポンダを介さずにトランスポンダ信号を送受信するパススルー区間とを有するＷＤＭ伝送システムの、前記隣接するＷＤＭ伝送システムに隣接して使用される波長冗長装置であって、
各トランスポンダに入力される伝送信号が伝送され、出力される入力用伝送経路と、
各トランスポンダから出力され、入力された伝送信号が伝送され、出力される出力用伝送経路と、
エクストラ入力用伝送経路およびエクストラ出力用伝送経路と、
各入力用伝送経路の途中に設けられた光カプラと、
入力が前記各光カプラの出力および前記エクストラ入力用伝送経路と接続され、出力が冗長波長用トランスポンダに接続された第１の光セレクターと、
前記冗長波長用トランスポンダから出力された伝送信号を出力するスプリッターと、
各出力用伝送経路の途中に設けられ、対応するトランスポンダから出力された伝送信号または前記スプリッターの出力信号を選択して出力する第２の光セレクターと、
前記エクストラ出力用伝送経路の途中に設けられ、前記スプリッターの出力信号を遮断または通過させるスイッチと、
自波長冗長装置が設けられているＷＤＭ伝送装置と対向するＷＤＭ伝送装置の波長冗長装置と波長冗長切替要求インタフェースを経て接続され、ａ）自波長冗長装置に接続されたいずれかのトランスポンダで異常が発生した場合、前記第1の光セレクターを、該セレクターが、異常が発生したトランスポンダに対応する光カプラの出力を選択するように制御し、異常が発生したトランスポンダに対応する第２の光セレクターを、該セレクターが前記スプリッターの出力を選択するように制御し、前記の対向するＷＤＭ伝送装置の波長冗長装置に、異常が発生したトランスポンダを示す切替情報を含む波長冗長切替要求を前記波長冗長切替要求インタフェースを経て送信し、ｂ）前記の対向するＷＤＭ伝送装置の波長冗長装置から、自波長冗長装置が設けられているＷＤＭ伝送装置に設けられているトランスポンダと対応するいずれかのトランスポンダで異常が発生し、該トランスポンダを示す切替情報を含む波長冗長切替要求を、前記波長冗長切替要求インタフェースを経て受信すると、自波長冗長装置に接続されたいずれかのトランスポンダで異常が発生した場合と同様に前記第1の光セレクターおよび前記第２の光セレクターを制御し、ｃ）自波長冗長装置が設けられているＷＤＭ装置および対向するＷＤＭ装置のいずれのトランスポンダでも異常が発生していない場合、前記第1の光セレクターを、該セレクターがいずれの入力も選択しないように制御し、前記各第２の光セレクターを、該セレクターが対応するトランスポンダの出力信号を選択するように制御する切替制御部と、
前記隣接するＷＤＭ伝送システムの波長冗長装置と隣接区間波長冗長装置用インタフェースで接続され、ａ）対向ＷＤＭ伝送装置の、前記パススルー区間のトランスポンダ信号を入出力するトランスポンダで異常が発生して対向の波長冗長装置から前記波長冗長切替要求インタフェースを経て波長冗長切替要求を受信すると、前記隣接区間波長冗長装置用インタフェースを経て、前記の隣接するＷＤＭ伝送システムの波長冗長装置に波長冗長切替要求を送信するとともに、前記スイッチをオンして自波長冗長装置内の、前記冗長用トランスポンダと接続するエクストラ出力用伝送経路を開放して、前記の隣接するＷＤＭ伝送システムの波長冗長装置との伝送経路を確保し、ｂ）前記隣接区間波長冗長装置用インタフェースを経て、前記の隣接するＷＤＭ伝送システムの波長冗長装置から波長冗長切替要求を受信すると、前記エクストラ入力用伝送経路を選択するように前記第1の光セレクターを制御して自波長冗長装置内の、前記冗長用トランスポンダと接続するエクストラ入力用伝送経路を開放するとともに、対向ＷＤＭ伝送装置の波長冗長装置に前記波長冗長切替要求インタフェースを経て波長冗長切替要求を送信するパススルー対応制御部と、
を有する波長冗長装置。
【発明の詳細な説明】
【技術分野】
【０００１】
本発明は、互いに対向するＷＤＭ（Ｗａｖｅｌｅｎｇｔｈ  Ｄｉｖｉｓｉｏｎ  Ｍｕｌｔｉｐｌｅｘｉｎｇ）伝送装置間でトランスポンダを経てトランスポンダ信号を伝送するＷＤＭ区間と、隣接するＷＤＭ伝送システムとの間で、トランスポンダを介さずにトランスポンダ信号を送受信するパススルー区間とを有するＷＤＭシステムに関する。
【背景技術】
【０００２】
図３は、ＷＤＭ区間とパススルー区間を有する互いに隣接する２つのＷＤＭ伝送システムを示したものである。
【０００３】
伝送信号１１-１、１１-２、１１-３は図左側のＷＤＭシステムのＷＤＭ装置のそれぞれトランスポンダ１２-１、１２-２、１２-３にて各々ＷＤＭ波長に変換され、ＷＤＭ区間１４を、波長多重分離部１３、１５を介して対向するＷＤＭ装置に伝送される。トランスポンダ１２-２、１２-３から出力されたトランスポンダ信号は、トランスポンダ１７-１、１７-２にてそれぞれ伝送信号２０-１、２０-２に逆変換される。トランスポンダ１２-１のトランスポンダ信号はパススルー区間１６を経て図右側のＷＤＭシステムに伝送される。トランスポンダ１２-１のトランスポンダ信号はさらに図右側のＷＤＭシステムのＷＤＭ区間２４を、波長多重分離部２３、２５を介して伝送され、トランスポンダ２６-１にて伝送信号２７-１に逆変換される。ＷＤＭ区間２４では、他の伝送信号２１-１、２１-２がそれぞれトランスポンダ２２-１、２２-２にてＷＤＭ波長に変換され、波長多重分離部２３、２５を介して伝送され、トランスポンダ２６-２、２６-３にて伝送信号２７-２、２７-３に逆変換される。
【０００４】
図４、図５は、図３のＷＤＭ伝送システムに波長冗長装置を使用した場合の構成例を示している。
【０００５】
図４のＷＤＭ伝送システムは、各々のＷＤＭ伝送区間１４、２４およびパススルー区間１６単位に波長冗長装置を設置した例である。ＷＤＭ区間１４に対しては、波長冗長装置４１-１、４５と冗長波長用トランスポンダ１２-５、１７-３が設置されている。ＷＤＭ区間２４に対しては、波長冗長装置４６、４８-１と冗長波長用トランスポンダ２２-３、２６-５が設置されている。パススルー区間１６に対しては、波長冗長装置４１-２、４８-２と冗長波長用トランスポンダ１２-４、２６-４が設置されている。波長冗長装置４１-１と４５は波長冗長切替要求が送信される波長冗長切替要求インタフェース４２で互いに接続されている。同様に、波長冗長装置４６と４８-１は波長冗長切替要求が送信される波長冗長切替要求インタフェース４２で互いに接続されている。同様に、波長冗長装置４１-２と４８-２は波長冗長切替要求が送信される波長冗長切替要求インタフェース４３で互いに接続されている。波長多重分離部１５と２３の間には、冗長波長用トランスポンダ１２-４、２６-４のトランスポンダ信号を送受信するためのパススルー区間４４が設けられている。
【０００６】
図５は、図３の隣接するＷＤＭシステムを各々のＷＤＭ区間１４、２４単位で分離して、個別に波長冗長システムを構成する例である。ＷＤＭ区間１４に対しては、波長冗長装置５０、５２と、冗長波長用トランスポンダ１２-５、１７-３、パススルー区間区切り用トランスポンダ１７-４が設置されている。ＷＤＭ区間２４に対しては、波長冗長装置５４、５６と冗長波長用トランスポンダ２２-３、２６-５、パススルー区間区切り用トランスポンダ２２-４が設置されている。波長冗長装置５０と５２は、波長冗長切替要求が送信される波長冗長切替要求インタフェース５１で互いに接続されている。同様に、波長冗長装置５４と５６は、波長冗長切替要求が送信される波長冗長切替要求インタフェース５５で互いに接続されている。波長冗長装置５２と５４間には、トランスポンダ１７−４、２２−４からのトランスポンダ信号が送受信される信号線５３が設けられている。
【０００７】
図６は図４、図５中の波長冗長装置の構成を示したものである。ここでは、伝送信号の数はｍ個と一般化されている。
【０００８】
入力用伝送経路１１１−１に入力された伝送信号１０１-１は、光カプラ１０２-１を経てＷＤＭ区間伝送用の現用トランスポンダ信号１０４-１となり、また、対応するトランスポンダから出力用伝送経路１１２−１に入力されたＷＤＭ区間伝送用の現用トランスポンダ信号１０４-１は光セレクター１０３-１を経て伝送信号１０１-１となる。同様に、入力用伝送経路１１１−ｍに入力された伝送信号１０１-ｍは、光カプラ１０２-ｍを経てＷＤＭ区間伝送用の現用トランスポンダ信号１０４-ｍとなり、また、対応するトランスポンダから出力用伝送経路１１２−ｍに入力されたＷＤＭ区間伝送用の現用トランスポンダ信号１０４-ｍは光セレクター１０３-ｍを経て伝送信号1０１-ｍとなる。光カプラ１０２-１、１０２-ｍで分岐出力された信号は、光セレクター１０７を経てＷＤＭ区間伝送用の冗長用トランスポンダ信号104-ｐとなる。入力された冗長用トランスポンダ信号104-pは、スプリッター１０８を経て光セレクター１０３-１、・・・、１０３-ｍで選択され、伝送信号１０１-１、・・・、１０１-ｍとなる。切替制御部１１０は、伝送区間の対向側に設置された波長冗長装置と波長冗長切替要求インタフェース１０９（図４の信号線４２、４３、４７、図５の信号線５１、５５）を経て波長冗長切替要求を送受信し、対向ＷＤＭ装置からの波長冗長切替要求または自装置内のダウン検出情報によって、伝送信号１０１-１、・・・、１０１-ｍの伝送信号のうち、異常が発生したトランスポンダへの伝送信号を光セレクター１０７によって選択して、冗長用トランスポンダ信号１０４-ｐとする。また、切替制御部１１０は、冗長用トランスポンダからの冗長用トランスポンダ信号１０４−ｐを、光セレクター１０３-１、・・・、１０３-ｍのうち、異常が発生したトランスポンダからのトランスポンダ信号を入力する光セレクターで選択する。
【０００９】
なお、例えば図４の波長冗長装置４１−１の場合、伝送信号１０１-１、１０１-ｍはそれぞれ伝送信号１１-２、１１-３に相当し、現用トランスポンダ信号１０４-１、１０４-ｍはそれぞれトランスポンダ１２-２、１２-３との間で入出力される信号に相当し、冗長用トランスポンダ信号1０４-ｐはトランスポンダ１２-５と間で入出力される信号に相当する。また、波長冗長切替要求インタフェース１０９は、波長冗長装置４１-１と４５の間の信号線４２に相当する。
【００１０】
なお、引用文献１は、波長多重光伝送システムにおいてより簡単な構成でＮ：１冗長切替を提案し、１区間での対向に設置された波長多重光送信装置の連携した切替動作について記述しているが、隣接区間に設置される同装置との制御情報の送受、隣接装置間のルート制御については記述されていない。
【特許文献１】特開２００２−３４４３８６号公報
【発明の開示】
【発明が解決しようとする課題】
【００１１】
図３に示すように、トランスポンダを有するＷＤＭ区間とトランスポンダを経由しないパススルー区間を同時に収容するＷＤＭシステムにおいては、図４に示すように、ＷＤＭ区間、パススルー区間毎に波長冗長装置を設置するか、図５に示すように、パススルーの波長信号にあえて、隣接ＷＤＭシステムと伝送区間を分離するためのトランスポンダを設置し、他のトランスポンダの波長信号と区間をあわせて、その分離点に波長冗長装置を設置するようなシステムが構成されていた。
【００１２】
したがって、従来のＷＤＭシステムは、余分な波長冗長装置やトランスポンダの設置を伴うため、システム構成のコストが増大し、また伝送システムとしての信頼性が低下するという問題がある。
【００１３】
本発明の目的は、パススルー区間を含む複数の伝送路に対しても専用の波長冗長装置を設置することなく１：Ｎ波長冗長を適用することができ、不要なトランスポンダを設置することなく、システム構成を簡潔にして、コストを低減することが可能なＷＤＭ伝送システムおよび波長冗長装置を提供することにある。
【課題を解決するための手段】
【００１４】
ＷＤＭ伝送システムの互いに対向するＷＤＭ伝送装置それぞれに1つの冗長用トランスポンダと１つの波長冗長装置が配置される。ＷＤＭ伝送システムは互いに対向する両波長冗長装置が、相手波長冗長装置との間で波長冗長切替要求を送受信するため波長冗長切替要求インタフェースを有する。ＷＤＭ伝送システムはさらに、隣接するＷＤＭ伝送システムと隣接する側の波長冗長装置が、該隣接するＷＤＭ伝送システムの波長冗長装置との間に、パススルー区間の伝送信号に対する波長冗長切替要求を送受信するため隣接区間波長冗長装置用インタフェースを有する。
【００１５】
隣接するＷＤＭシステムと隣接する側の波長冗長装置と対向する波長冗長装置は、ａ）該波長冗長装置が属するＷＤＭ伝送装置のいずれかのトランスポンダに異常が発生した場合に、異常が発生したトランスポンダを通る伝送経路を、冗長用トランスポンダを通る伝送経路に切替えるとともに、対向ＷＤＭ伝送装置の波長冗長装置に波長冗長切替要求インタフェースを経て波長冗長切替要求を送信し、ｂ）対向ＷＤＭ伝送装置のいずれかのトランスポンダで異常が発生して対向の波長冗長装置から波長冗長切替要求インタフェースを経て波長冗長切替要求を受信すると、異常が発生したトランスポンダに対応する、自波長冗長装置が属するＷＤＭ伝送装置のトランスポンダを通る伝送経路を、冗長用トランスポンダを通る伝送経路に切替え、ｃ）隣接するＷＤＭ伝送システムの対向する波長冗長装置からの波長冗長切替要求が、該波長冗長装置と対向する波長冗長装置から波長冗長切替要求インタフェースを経て転送されてくると、自前波長冗長装置が属するＷＤＭ伝送装置の前記パススルー区間のトランスポンダを通る伝送経路を、冗長用トランスポンダを通る伝送経路に切替える。
【００１６】
隣接するＷＤＭ伝送システムと隣接する側の波長冗長装置は、ａ）該波長冗長装置が属するＷＤＭ装置のいずれかのトランスポンダに異常が発生した場合に、異常が発生したトランスポンダを通る伝送経路を、冗長用トランスポンダを通る伝送経路に切替えるとともに、対向ＷＤＭ伝送装置の波長冗長装置に波長冗長切替要求インタフェースを経て波長冗長切替要求を送信し、ｂ）対向ＷＤＭ伝送装置の、ＷＤＭ区間のいずれかのトランスポンダで異常が発生して対向の波長冗長装置から波長冗長切替要求インタフェースを経て波長冗長切替要求を受信すると、異常が発生したトランスポンダに対応する、自波長冗長装置が属するＷＤＭ伝送装置のトランスポンダを通る伝送経路を、冗長用トランスポンダを通る伝送経路に切替え、ｃ）対向ＷＤＭ伝送装置の、パススルー区間のトランスポンダ信号を入出力するトランスポンダで異常が発生して対向の波長冗長装置から前記波長冗長切替要求インタフェースを経て波長冗長切替要求を受信すると、隣接区間波長冗長装置用インタフェースを経て、隣接するＷＤＭ伝送システムの波長冗長装置に波長冗長切替要求を送信するとともに、自波長冗長装置内の、冗長用トランスポンダと接続するエクストラ出力用伝送経路を開放して、隣接するＷＤＭ伝送システムの波長冗長装置との伝送経路を確保し、ｄ）隣接区間波長冗長装置用インタフェースを経て、隣接するＷＤＭ伝送システムの波長冗長装置から波長冗長切替要求を受信すると、自波長冗長装置内の、冗長用トランスポンダと接続するエクストラ入力用伝送経路を開放するとともに、対向ＷＤＭ伝送装置の波長冗長装置に波長冗長切替要求インタフェースを経て波長冗長切替要求を送信する。
【００１７】
本発明は、互いに隣接するＷＤＭ伝送システムの互いに隣接する波長冗長装置同士の間に隣接区間波長冗長装置用インタフェースを設け、一方のＷＤＭシステムでパススルー区間（波長信号）の切替要求事象が発生した場合、他方のＷＤＭシステムに波長冗長切替要求を送信する。この波長冗長切替要求は隣接ＷＤＭシステム内をリレー伝送される。これによって、ＷＤＭシステムは隣接するＷＤＭシステムで発生したパススルー区間（波長信号）の切替要求事象を認識することができる。さらに、本発明は、ＷＤＭシステムでパススルー区間（波長信号）の切替要求事象が発生した場合、冗長用トランスポンダと接続するエクストラ出力用伝送経路、エクストラ入力用伝送経路を開放して、隣接するＷＤＭ伝送システムの波長冗長装置との伝送経路を確保する。これによって、冗長波長用トランスポンダに接続されたエクストラ入力用伝送経路およびエクストラ出力用伝送経路を利用してパススルー区間の伝送信号を隣接のＷＤＭシステムと送受信することができる。
【発明の効果】
【００１８】
本発明によれば、パススルー区間を含む複数の伝送路に対しても専用の波長冗長装置を設置することなく１：Ｎ波長冗長を適用することができ、不要なトランスポンダを設置することなく、システム構成を簡潔にして、コストを低減することが可能となる。 
【発明を実施するための最良の形態】
【００１９】
次に、本発明の実施の形態について図面を参照して説明する。
【００２０】
図１は、本発明の一実施形態のＷＤＭ伝送システムのブロック図である。本ＷＤＭ伝送システムは、図３のＷＤＭ伝送システムに、後述する図２の波長冗長装置を使用したものである。
【００２１】
ＷＤＭ区間１４に対しては、波長冗長装置３１、３３と、冗長波長用トランスポンダ１２−５、１７−３が設置されている。ＷＤＭ区間２４に対しては、波長冗長装置３６、３８と冗長波長用トランスポンダ２２‐３、２６-５が設置されている。波長冗長装置３１と３３は波長冗長切替要求インタフェース３２で互いに接続され、波長冗長装置３６と３８は波長冗長切替要求インタフェース３７で互いに接続されている。波長冗長装置３３と３６は、信号線３４にて波長冗長装置３３と３６のエクストラトラフィックポート同士が接続されるとともに、隣接区間波長冗長装置用インタフェース３５にて接続されている。
【００２２】
図２は図１中の波長冗長装置３３と３６のブロック図である。ここでは、図６と同様に、伝送信号の数はｍ個と一般化されている。なお、波長冗長装置３１、３８は図６の従来の波長冗長装置と同じ構成である。
【００２３】
本波長冗長装置は、図６の従来の構成に対し、隣接区間波長冗長装置用インタフェース１１６を介して隣接ＷＤＭシステムの対向する波長冗長装置と接続され、切替制御部１１０、波長冗長切替要求インタフェース１０９を経て、自ＷＤＭシステム内の対向する波長冗長装置と接続されているパススルー対応制御部１１５を新たに有している。パススルー対応制御部１１５は、自ＷＤＭシステム内のトランスポンダ１２−１または２６−１に異常が発生し、波長冗長切替要求インタフェース１０９、切替制御部１１０を経て波長冗長切替要求を受信すると、光セレクター１０６をオンして、トランスポンダ１７−３または２２−３の出力とエクストラトラフィックポート１０５との間のエクストラ出力用伝送経路１１４を開放し、隣接区間波長冗長装置用インタフェース１１６を介して隣接ＷＤＭシステムの対向する波長冗長装置から波長冗長切替要求を受信すると、エクストラ入力用伝送経路１１３を選択するように、光セレクター１０７を制御する。
【００２４】
次に、本実施形態の動作を説明する。
【００２５】
ＷＤＭ区間１４または２４で異常が発生した場合の波長冗長切替は従来装置と同様に行われる。ＷＤＭ区間１４の異常が発生した場合、波長冗長装置３１と３３にて波長冗長切替が実施される。例えばトランスポンダ１２−３にて異常が発生し、波長冗長装置３１が、波長冗長切替が必要と判断した場合、対向の波長冗長装置３３に波長冗長切替要求インタフェース３２にて波長冗長切替要求を送信する。そして波長冗長装置３１は、伝送信号１１−３が、冗長波長用トランスポンダ１２−５、１７−３を経由した伝送信号２０−２となるように、対向の波長冗長装置３３とともに伝送経路の切替を実施する。同様に、ＷＤＭ区間２４の異常が発生した場合、波長冗長装置３６、３８にて波長冗長切替が実施される。例えばトランスポンダ２６−３にて異常が発生し、波長冗長装置３８が、波長冗長切替が必要と判断した場合、対向の波長冗長装置３６に波長冗長切替要求インタフェース３７にて波長冗長切替要求を送信する。そして波長冗長装置３８は、伝送信号２７−３が冗長波長用トランスポンダ２６−５、２２−３を経由した伝送信号２１−１となるように、対向の波長冗長装置３６とともに伝送経路の切替を実施する。
【００２６】
パススルー区間１６のトランスポンダ１２−１にて異常が発生し、波長冗長装置３１が、波長冗長切替が必要と判断した場合、対向の波長冗長装置３３へ、波長冗長切替要求インタフェース３２にて波長冗長切替要求を送信する。波長冗長装置３３のパススルー対応制御部１１５は、波長冗長装置３１から受信した波長冗長切替要求によりパススルー区間１６の伝送信号に切替実施の要求があることを認識し、光セレクター１０６をオンしてエクストラトラフィックポート１０５（エクストラ出力用伝送経路１１４）を開放するとともに、対向の波長冗長装置３６へ隣接区間波長冗長装置用インタフェース３５を使用して波長冗長切替要求を転送する。波長冗長装置３６のパススルー対応制御部１１５は、波長冗長装置３３から波長冗長切替要求を受信し、光セレクター１０７によってエクストラ入力用伝送経路１１３を開放するとともに、切替制御部１１０、波長冗長切替要求インタフェース３７を経て波長冗長装置３８へ波長冗長切替要求を転送する。波長冗長装置３８は、波長冗長切替要求により切替制御を実施する。
【００２７】
上記制御動作の結果、伝送信号１１−１は、波長冗長用トランスポンダ１２−５、１７−３を通り、波長冗長装置３３、３６間の伝送路３４を抜けて冗長波長用トランスポンダ２２−３、２６−５を経由して伝送信号２７−１となるように、伝送経路が確保される。したがって、本ＷＤＭシステムはＷＤＭ区間１４、２４をパススルーする伝送信号１１−１に対しても波長冗長システムとして動作する。
【００２８】
なお、波長冗長装置の機能は、その機能を実現するためのプログラムを、コンピュータ読み取り可能な記録媒体に記録して、この記録媒体に記録されたプログラムをコンピュータに読み込ませ、実行するものであってもよい。コンピュータ読み取り可能な記録媒体とは、フレキシブルディスク、光磁気ディスク、ＣＤ−ＲＯＭ等の記録媒体、コンピュータシステムに内蔵されるハードディスク装置等の記憶装置を指す。さらに、コンピュータ読み取り可能な記録媒体は、インターネットを介してプログラムを送信する場合のように、短時間、動的にプログラムを保持するもの（伝送媒体もしくは伝送波）、その場合のサーバとなるコンピュータ内の揮発性メモリのように、一定時間プログラムを保持しているものを含む。
【図面の簡単な説明】
【００２９】
【図１】図１は本発明の一実施形態の、ＷＤＭ区間とパススルー区間を有する隣接したＷＤＭ伝送システムのブロック図である。
【図２】図２は図1中の、隣接したＷＤＭ伝送システムの対向する波長冗長装置のブロック図である。
【図３】図３はＷＤＭ区間とパススルー区間を有する互いに隣接する２つのＷＤＭ伝送システムを示すブロック図である。
【図４】図４は図３のＷＤＭ伝送システムに波長冗長装置を使用した場合の構成例を示すである。
【図５】図５は図３のＷＤＭ伝送システムに波長冗長装置を使用した場合の他の構成例を示す図である。
【図６】図６は図４、図５のＷＤＭ伝送システムで使用される波長冗長装置のブロック図である。
【符号の説明】
【００３０】
１１−１、１１−２、１１−３  伝送信号
１２−１、１２−２、・・・、１２−５  トランスポンダ
１３  波長多重分離部
１４  ＷＤＭ区間
１５  波長多重分離部
１６  パススルー区間
１７−１、１７−２、１７−３  トランスポンダ
２０−１、２０−２      伝送信号
２１−１、２１−２      伝送信号
２２−１、２２−２、２２−３  トランスポンダ
２３  波長多重部
２４  ＷＤＭ区間
２５  波長多重部
２６−１、２６−２、・・・、２６−５  トランスポンダ
２７−１、２７−２、２７−３  伝送信号
３１  波長冗長装置
３２  波長冗長切替要求インタフェース
３３  波長冗長装置
３４  伝送経路
３５  隣接区間波長冗長装置用インタフェース
３６  波長冗長装置
３７  波長冗長切替要求インタフェース
３８  波長冗長装置
１０１−１〜１０１−ｍ  伝送信号
１０２−１〜１０２−ｍ  光カプラ
１０３−１〜１０３−ｍ  光セレクター
１０４−１〜１０４−ｍ  トランスポンダ信号
１０５  エクストラトラフィックポート
１０６  スイッチ
１０７  光セレクター
１０８  スプリッター
１０９  波長冗長切替要求インタフェース
１１１−１〜１１１−ｍ  入力用伝送経路
１１２−１〜１１２−ｍ  出力用伝送経路
１１３  エクストラ入力用伝送経路
１１４  エクストラ出力用伝送経路
１１５  パススルー対応制御部
１１６  隣接区間波長冗長装置用インタフェース
【図１】
2010056899.tif 000003
【図２】
2010056899.tif 000004
【図３】
2010056899.tif 000005
【図４】
2010056899.tif 000006
【図５】
2010056899.tif 000007
【図６】
2010056899.tif 000008